【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
検体の少なくとも一部を撮像するシステムであって、
前記検体および参照物に向けて少なくとも１つの電磁放射光を生成する光源装置と、
前記検体から受けた少なくとも１つの第１電磁放射光および前記参照物から受けた少なくとも１つの第２電磁放射光の組合せに関連する信号を検出可能な少なくとも１つの検出器により複数の検出器を含む少なくとも１つの検出装置とを備え、
前記検出器の少なくとも１つの特定の検出器は、特定の電気的積分時間を有し、
前記少なくとも１つの特定の検出器は、予め設定された閾値よりも大きい、少なくとも１つの第１パワーレベルを有する第１の部分および前記少なくとも１つの第１の部分の直前または直後の第２の部分を有する時間分、少なくとも前記信号の一部を受信し、
前記少なくとも第２の部分は、予め設定された閾値よりも低い、少なくとも１つの第２パワーレベルを有するとともに、
前記少なくとも第２の部分は、前記特定の電気的積分時間の少なくとも約１０％の時間の間延長する、
ことを特徴とするシステム。
【請求項２】
前記信号は、少なくとも１つの組合せの周波数成分を有することを特徴とする請求項１に記載のシステム。
【請求項３】
光源装置は、パルス化広帯域幅光源であることを特徴とする請求項１に記載のシステム。
【請求項４】
前記検出装置は、少なくとも１つ電荷結合デバイスを含むことを特徴とする請求項１に記載のシステム。
【請求項５】
前記少なくとも１つの特定の検出器は、前記周波数成分の少なくとも１つを受けることを特徴とする請求項２に記載のシステム。
【請求項６】
前記光源装置は、パルス化広帯域幅光源であることを特徴とする請求項５に記載のシステム。
【請求項７】
前記光源装置は、光学的ゲートスイッチを含むことを特徴とする請求項５に記載のシステム。
【請求項８】
前記少なくとも１つの電磁放射光の周波数は、時間とともに変化することを特徴とする請求項５に記載のシステム。
【請求項９】
前記検出装置は、前記第１および第２電磁放射光の組合せと関連付けられ光電子の伝送をゲートするように適合され、
前記光電子の伝送を許可するためのゲートの時間が前記特定の電気的積分時間の約９０％より短い、電気シャッタをさらに含むことを特徴とする請求項５に記載の方法。
【請求項１０】
前記検体は、生体の検体であることを特徴とする請求項３に記載のシステム。
【請求項１１】
前記検出装置は、少なくとも１つの電荷結合デバイスを含むことを特徴とする請求項５に記載のシステム。
【請求項１２】
前記少なくとも１つの第１電磁放射光、前記少なくとも１つの第２電磁放射光および前記少なくとも１つの周波数成分の組合せのスペクトルを分離する、少なくとも１つのスペクトル分離ユニットをさらに備えることを特徴とする請求項５に記載のシステム。
【請求項１３】
前記パルス光源によって生成された前記少なくとも１つの電磁放射光は、前記特定の電気的積分時間当たり１回のパルスであることを特徴とする請求項６に記載のシステム。
【請求項１４】
前記光源装置によって生成された前記少なくとも１つの電磁放射光は、前記特定の電気的積分時間の最大約９０％の間の放射光のバーストであることを特徴とする請求項６に記載のシステム。
【請求項１５】
前記パルス広帯域幅光源によって生成された前記少なくとも１つの電磁放射光は、約７００ナノメートルから２０００ナノメートルの間の中心波長のスペクトルを有することを特徴とする請求項６に記載のシステム。
【請求項１６】
前記放射光のバーストの持続期間は、約１マイクロ秒よりも短いことを特徴とする請求項６に記載のシステム。
【請求項１７】
前記少なくとも１つの電磁放射光の平均周波数は、ほぼ時間とともに連続的にミリセカンド当り１００テラヘルツよりも大きな同調速度で変化することを特徴とする請求項８に記載のシステム。
【請求項１８】
前記平均周波数は、前記特定の電気的積分時間の約９０％よりも短い繰返し周期で変化することを特徴とする請求項８に記載のシステム。
【請求項１９】
前記光源装置によって生成された前記少なくとも１つの電磁放射光は、約７００ナノメートルから２０００ナノメートルの間の中心波長を有することを特徴とする請求項８に記載のシステム。
【請求項２０】
前記光源装置によって生成された前記少なくとも１つの電磁放射光は、中心波長の約１％より大きな同調範囲を有することを特徴とする請求項８に記載のシステム。
【請求項２１】
前記光源装置によって生成された前記少なくとも１つの電磁放射光は、瞬時線幅が同調範囲よりも約１０％狭い、前記瞬時線幅および前記同調範囲を有することを特徴とする請求項８に記載のシステム。
【請求項２２】
前記光源装置は、同調レーザを含むことを特徴とする請求項８に記載のシステム。
【請求項２３】
前記光源装置は、同調フィルタを含むことを特徴とする請求項８に記載のシステム。
【請求項２４】
前記光源装置は、媒質を含み、当該媒質に関連する非線形性に基づいて前記少なくとも１つの電磁放射光を生成することを特徴とする請求項８に記載のシステム。
【請求項２５】
前記周波数は、ほぼ時間とともに線形に変化することを特徴とする請求項８に記載のシステム。
【請求項２６】
前記周波数は、ほぼ時間とともに正弦波状に変化することを特徴とする請求項８に記載のシステム。
【請求項２７】
前記パルス光源は、Ｑスイッチレーザ、キャビティ−ダンプモードロックレーザ、および利得スイッチレーザの少なくとも１つを含むことを特徴とする請求項１３に記載のシステム。
【請求項２８】
前記パルス広帯域幅光源によって生成された前記少なくとも１つの電磁放射光は、およそ１マイクロ秒よりも短いパルス幅を有することを特徴とする請求項１３に記載のシステム。
【請求項２９】
前記放射光のバーストは、複数のパルスを含むことを特徴とする請求項１４に記載のシステム。
【請求項３０】
前記パルス広帯域幅光源によって生成された前記少なくとも１つの電磁放射光は、前記中心波長の約１％より大きなスペクトル幅のスペクトルを有することを特徴とする請求項１５に記載のシステム。
【請求項３１】
検体の少なくとも一部を撮像する方法であって、
前記検体および参照物に向けて少なくとも１つの電磁放射光を生成するステップと、
検出装置の複数の検出器における少なくとも１つの検出器を使用して前記検体から受けた少なくとも１つの第１電磁放射光および前記参照物から受けた少なくとも１つの第２電磁放射光の組合せに関連する信号を検出するステップとを備え、
前記検出器の少なくとも１つの特定の検出器は、特定の電気的積分時間を有し、
前記少なくとも１つの特定の検出器は、予め設定された閾値よりも大きい、第１パワーレベルを有する第１の部分および当該第１の部分の直前または直後の第２の部分を有する時間分、少なくとも前記信号の一部を受信し、
前記第２の部分は、予め設定された閾値よりも低い第２パワーレベルを有するとともに、前記特定の電気的積分時間の少なくとも約１０％の時間の間延長する、
ことを特徴とする方法。
【請求項３２】
前記信号は、組合せの周波数成分を有することを特徴とする請求項３１に記載の方法。
【請求項３３】
前記生成するステップは、パルス広帯域幅光源である光源装置により行うことを特徴とする請求項３１に記載の方法。
【請求項３４】
前記検出するステップは、少なくとも１つの電荷結合デバイスである検出装置により行うことを特徴とする請求項３１に記載の方法。
【請求項３５】
前記少なくとも１つの特定の検出器は、前記周波数成分の少なくとも１つを受けることを特徴とする請求項３２に記載の方法。
【請求項３６】
前記生成するステップは、パルス広帯域幅光源である光源装置により行うことを特徴とする請求項３５に記載の方法。
【請求項３７】
前記光源装置は、光ゲートスイッチを含むことを特徴とする請求項３５に記載の方法。
【請求項３８】
前記少なくとも１つの電磁放射光の周波数は、時間とともに変化することを特徴とする請求項３５に記載の方法。
【請求項３９】
前記検出器は、前記第１および第２電磁放射光の組合せと関連付けられた光電子の伝送をゲートするように適合され、
前記光電子の伝送を許可するためのゲートの時間が前記特定の電気的積分時間の約９０％より短い、電気シャッタをさらに含むことを特徴とする請求項３５に記載の方法。
【請求項４０】
前記検体は、生体の検体であることを特徴とする請求項３５に記載の方法。
【請求項４１】
前記検出するステップは、少なくとも１つの電荷結合デバイスである検出装置により行うことを特徴とする請求項３５に記載の方法。
【請求項４２】
少なくとも前記第１電磁放射線、前記第２電磁放射線および前記組合せの１つのスペクトルを前記周波数成分で少なくとも一つのものに分ける前記ステップをさらに含んでいる請求項３５に記載の方法。
【請求項４３】
前記パルス光源によって生成された前記少なくとも１つの電磁放射光は、前記特定の電気的積分時間当たり１回のパルスであることを特徴とする請求項３６に記載の方法。
【請求項４４】
前記光源装置によって生成された前記少なくとも１つの電磁放射光は、前記特定の電気的積分時間の最大約９０％の間の放射光のバーストであることを特徴とする請求項３６に記載の方法。
【請求項４５】
前記光源装置によって生成された前記少なくとも１つの電磁放射光は、約７００ナノメートルから２０００ナノメートルの間の中心波長を有することを特徴とする請求項３６に記載の方法。
【請求項４６】
前記パルス広帯域幅光源によって生成された前記少なくとも１つの電磁放射光は、およそ１マイクロ秒よりも短いパルス幅を有することを特徴とする請求項３５に記載の方法。
【請求項４７】
前記少なくとも１つの電磁放射光の平均周波数は、ほぼ時間とともに連続的にミリセカンド当り１００テラヘルツよりも大きな同調速度で変化することを特徴とする請求項３８に記載の方法。
【請求項４８】
前記平均周波数は、前記特定の電気的積分時間の約９０％よりも短い繰返し周期で変化することを特徴とする請求項３８に記載の方法。
【請求項４９】
前記光源装置によって生成された前記少なくとも１つの電磁放射光は、約７００ナノメートルから２０００ナノメートルの間の中心波長を有することを特徴とする請求項４３に記載の方法。
【請求項５０】
前記光源装置によって生成された前記少なくとも１つの電磁放射光は、中心波長の約１％より大きな同調範囲を有することを特徴とする請求項４７に記載の方法。
【請求項５１】
前記光源装置によって生成された前記少なくとも１つの電磁放射光は、瞬時線幅が同調範囲よりも約１０％狭い、前記瞬時線幅および前記同調範囲を有することを特徴とする請求項３８に記載の方法。
【請求項５２】
前記光源装置は、同調レーザを含むことを特徴とする請求項３８に記載の方法。
【請求項５３】
前記光源装置は、同調フィルタを含むことを特徴とする請求項３８に記載の方法。
【請求項５４】
前記光源装置は、媒質を含み、当該媒質に関連する非線形性に基づいて前記少なくとも１つの電磁放射光を生成することを特徴とする請求項３８に記載の方法。
【請求項５５】
前記周波数は、ほぼ時間とともに線形に変化することを特徴とする請求項３８に記載の方法。
【請求項５６】
前記周波数は、ほぼ時間とともに正弦波状に変化することを特徴とする請求項３８に記載の方法。
【請求項５７】
前記パルス光源は、Ｑスイッチレーザ、キャビティ−ダンプモードロックレーザ、および利得スイッチレーザの少なくとも１つを含むことを特徴とする請求項４３に記載の方法。
【請求項５８】
前記パルス広帯域幅光源によって生成された前記少なくとも１つの電磁放射光は、およそ１マイクロ秒よりも短いパルス幅を有することを特徴とする請求項４３に記載の方法。
【請求項５９】
前記電磁放射光のバーストは、複数のパルスを含むことを特徴とする請求項４４に記載の方法。
【請求項６０】
前記パルス広帯域幅光源によって生成された前記少なくとも１つの電磁放射光は、前記中心波長の約１％より大きなスペクトル幅のスペクトルを有することを特徴とする請求項４５に記載の方法。